(57)【要約】    【課題】  高Ｓ／Ｎ比を維持しつつ入力信号のクリップを抑制する。    【解決手段】  フェーダ操作子１６は、乗算器１８に入力される入力信号の入力レベルを調節する機能を有する。レベル信号２１の監視期間中において、対応する入力信号のクリップ発生部について、クリップ開始サンプル点Ｐｓ０及びその直前のサンプル点Ｐｓ１を通る直線Ｌ１と、クリップ終了サンプル点Ｐｅ０及びその直後のサンプル点Ｐｅ１を通る直線Ｌ２との交点ＰＺを求め、クリップレベルから交点ＰＺまでのレベル差ｄとクリップ時間Ｔｃとの積Ｔｃ×ｄが所定値以上であるクリップ発生部のうちレベル差ｄが最大のものを最大クリップ発生部とする。最大クリップ発生部におけるレベル差ｄを補正量Ｄとし、これを表示させると共に、補正量Ｄに対応する分だけフェーダ操作子１６を駆動制御する。【選択図】      図３
2005277560.tif 000002
【特許請求の範囲】
【請求項１】
入力信号をクリップレベルでクリップして出力する信号入出力部と、該信号入出力部に入力される前記入力信号のレベルを調節可能なレベル調節器とを有する信号処理装置であって、
前記信号入出力部からクリップされて出力される出力信号におけるクリップ発生部を検出するクリップ検出手段と、
前記クリップ検出手段により検出されたクリップ発生部における、前記入力信号の対応部分の仮想ピークレベルを推定する仮想ピークレベル推定手段と、
前記仮想ピークレベル推定手段により推定された仮想ピークレベルに基づいて、前記入力信号のレベルの前記レベル調節器による調節量を補正するためのレベル補正量を算出する補正量算出手段とを有することを特徴とする信号処理装置。
【請求項２】
入力信号をクリップレベルでクリップして出力する信号入出力部と、該信号入出力部に入力される前記入力信号のレベルを調節可能なレベル調節器とを有する信号処理装置を制御するための信号処理装置の制御プログラムであって、
前記信号入出力部からクリップされて出力される出力信号におけるクリップ発生部を検出するクリップ検出ステップと、
前記クリップ検出ステップにより検出されたクリップ発生部における、前記入力信号の対応部分の仮想ピークレベルを推定する仮想ピークレベル推定ステップと、
前記仮想ピークレベル推定ステップにより推定された仮想ピークレベルに基づいて、前記入力信号のレベルの前記レベル調節器による調節量を補正するためのレベル補正量を算出する補正量算出ステップとをコンピュータに実行させることを特徴とする信号処理装置の制御プログラム。
【発明の詳細な説明】
【技術分野】
【０００１】
本発明は、音響信号等の入力信号をクリップするミキサ等の信号処理装置であって、特に、入力信号のレベルを調節可能な信号処理装置及び該装置の制御プログラムに関する。
【背景技術】
【０００２】
従来、音響信号等の信号を処理するミキサ等の信号処理装置において、プリアンプのゲインの設定や、入力信号の音量を調節するフェーダの設定の不具合等によって、ミキシングアンプ等の信号入出力部に過大なレベルの信号が入力されると、入力信号の波形のうちクリップレベルを超えた部分がカットされて出力されることで、処理対象の信号にクリップ歪が生じることがある。
【０００３】
このような場合、一般に、プリアンプのゲインの設定やフェーダの操作によって、クリップが生じる要素である信号入出力部に入力される信号の入力レベルを抑えることで、クリップを回避することができる。
【０００４】
また、下記特許文献１の信号処理装置は、入力チャンネル毎に複数のメータリングポイントにおいてクリップ発生を監視し、警告表示を行うことで、クリップの発生及び発生箇所の把握を容易にしている。
【特許文献１】特開２００２−１９１０９１号公報
【発明の開示】
【発明が解決しようとする課題】
【０００５】
しかしながら、フェーダ操作等によって入力信号の入力レベルを抑えすぎるとＳ／Ｎ比が低下するため、高Ｓ／Ｎ比の維持とクリップ回避とを両立するために、入力レベルをどの程度抑えるのが最適なのかを把握するのは容易でない。そのため、一般に、入力レベルの設定乃至補正は、レコーディングエンジニア等の経験的な勘や、試行錯誤によってなされていた。
【０００６】
本発明は上記従来技術の問題を解決するためになされたものであり、その目的は、高Ｓ／Ｎ比を維持しつつ入力信号のクリップを抑制することができる信号処理装置及び該装置の制御プログラムを提供することにある。
【課題を解決するための手段】
【０００７】
上記目的を達成するために本発明の請求項１の信号処理装置は、入力信号をクリップレベルでクリップして出力する信号入出力部と、該信号入出力部に入力される前記入力信号のレベルを調節可能なレベル調節器とを有する信号処理装置であって、前記信号入出力部からクリップされて出力される出力信号におけるクリップ発生部を検出するクリップ検出手段と、前記クリップ検出手段により検出されたクリップ発生部における、前記入力信号の対応部分の仮想ピークレベルを推定する仮想ピークレベル推定手段と、前記仮想ピークレベル推定手段により推定された仮想ピークレベルに基づいて、前記入力信号のレベルの前記レベル調節器による調節量を補正するためのレベル補正量を算出する補正量算出手段とを有することを特徴とする。
【０００８】
この構成によれば、出力信号におけるクリップ発生部における、入力信号の対応部分の仮想ピークレベルが推定され、該推定された仮想ピークレベルに基づいて、入力信号のレベルのレベル調節器による調節量を補正するためのレベル補正量が算出される。この算出されたレベル補正量を、手動または自動によってレベル調節器による調節量に反映させれば、Ｓ／Ｎ比の著しい低下を招くことなく、クリップの発生が抑制される。
【０００９】
上記目的を達成するために本発明の請求項２の信号処理装置の制御プログラムは、入力信号をクリップレベルでクリップして出力する信号入出力部と、該信号入出力部に入力される前記入力信号のレベルを調節可能なレベル調節器とを有する信号処理装置を制御するための信号処理装置の制御プログラムであって、前記信号入出力部からクリップされて出力される出力信号におけるクリップ発生部を検出するクリップ検出ステップと、前記クリップ検出ステップにより検出されたクリップ発生部における、前記入力信号の対応部分の仮想ピークレベルを推定する仮想ピークレベル推定ステップと、前記仮想ピークレベル推定ステップにより推定された仮想ピークレベルに基づいて、前記入力信号のレベルの前記レベル調節器による調節量を補正するためのレベル補正量を算出する補正量算出ステップとをコンピュータに実行させることを特徴とする。
【００１０】
上記請求項１の構成において、好ましくは、例えば、前記仮想ピークレベル推定手段は、前記クリップ発生部におけるクリップ開始点及びクリップ終了点に対応する前記出力信号波形の傾きに基づいて前記仮想ピークレベルを推定する。あるいは、前記出力信号はデジタル信号であり、前記仮想ピークレベル推定手段は、前記出力信号のサンプルから、前記クリップ発生部におけるクリップ開始に対応する開始サンプル点とクリップ終了に対応する終了サンプル点とを求め、前記開始サンプル点と、該開始サンプル点より前のサンプル点と、前記終了サンプル点と、該終了サンプル点より後のサンプル点とに基づいて、前記仮想ピークレベルを推定する。このようにすれば、構成が簡単である。
【００１１】
なお、請求項２記載の信号処理装置の制御プログラムを格納したコンピュータ読み取り可能な記憶媒体は、本発明を構成する。
【発明の効果】
【００１２】
本発明によれば、高Ｓ／Ｎ比を維持しつつ入力信号のクリップを抑制することができる。
【発明を実施するための最良の形態】
【００１３】
以下、本発明の実施の形態を図面を参照して説明する。
【００１４】
図１は、本発明の一実施の形態に係る信号処理装置の構成を示すブロック図である。本実施の形態の信号処理装置は、例えば、複数チャンネルのデジタル音響信号を入力し、入力信号に各種処理を施すミキサ装置として構成される。同図では、１つのチャンネルに対応する構成要素のみを示している。
【００１５】
本信号処理装置は、本装置全体を制御する制御部１０（クリップ検出手段、仮想ピークレベル推定手段、補正量算出手段）を備える。制御部１０は、ＣＰＵ、タイマ及び記憶装置（いずれも図示せず）等を含んで構成される。上記記憶装置はＲＯＭ、ＲＡＭ等を含み、上記ＣＰＵが実行する制御プログラムのほか、各種データを記憶することができる。制御部１０には、表示装置１４、フェーダ駆動部１５、インターフェイスＩ／Ｆ１７及びレベル検出部１９が接続されている。制御部１０には、スタートスイッチ（ＳＴＡＲＴ  ＳＷ）１１、ストップスイッチ（ＳＴＯＰ  ＳＷ）１２、及びセットスイッチ（ＳＥＴ  ＳＷ）１３の操作イベントによる指示信号が入力されるようになっている。
【００１６】
フェーダ駆動部１５は、フェーダ操作子１６（レベル調節器）、インターフェイスＩ／Ｆ１７を介して乗算器１８（信号入出力部）に接続され、乗算器１８の出力端子に、上記レベル検出部１９が接続されている。これらの構成要素は、各チャンネル毎に設けられる。
【００１７】
乗算器１８には、デジタル音響信号（ＤＩＧＩＴＡＬ−ＩＮ）（以下、単に「入力信号」とも呼称する）が入力される。乗算器１８は、オーバーフロープロテクタ機能を有しており、クリップレベルを超える入力信号をクリップし、クリップレベル以上の波形がカットされた信号（ＤＩＧＩＴＡＬ−ＯＵＴ）（以下、単に「出力信号」とも呼称する）を出力する。
【００１８】
フェーダ操作子１６は、乗算器１８に入力される入力信号の音量に相当する入力レベル（ＶＯＬＵＭＥ）を設定する音量調節機能を有している。フェーダ操作子１６は、スライド操作式に構成され、手動で操作可能であるが、フェーダ駆動部１５を介して制御部１０によっても操作量が制御され得るようになっている。すなわち、フェーダ操作子１６は、例えば特開平６−２７５４１０号公報で開示されるように、不図示のモータとローラの回転によって直線運動するようになっており、制御部１０からの制御信号２０に基づくフェーダ駆動部１５からの駆動信号によって駆動される。インターフェイスＩ／Ｆ１７は、Ａ／Ｄコンバータ機能を有している。フェーダ操作子１６の駆動量は、アナログ量であるが、この駆動量は、インターフェイスＩ／Ｆ１７によってデジタル量に変換され、これが、乗算器１８への上記入力信号の入力レベルとなる。
【００１９】
レベル検出部１９は、絶対値化回路及びＬＰＦ（ローパスフィルタ）回路を基本とする平滑回路を有しており、乗算器１８からの出力信号を平滑化して、出力信号サンプルをレベル（ＬＥＶＥＬ）信号２１として制御部１０に供給する。制御部１０は、レベル検出部１９に対して、レベル検出の応答性に関わるＬＰＦ回路のフィルタ係数等、検出特性に関わる設定を行う。
【００２０】
制御部１０は、後述する図２のレベル補正処理により、レベル信号２１を監視し、入力信号においてクリップ歪が生じた箇所である「クリップ発生部」を分析して、フェーダ操作子１６の駆動量に対する補正量Ｄ（レベル補正量）を算出する。表示装置１４は、液晶表示装置等で成り、補正量Ｄ等の各種情報を表示する。スタートスイッチ１１は、レベル信号監視の開始の指示に用いられる。ストップスイッチ１２は、レベル信号監視の終了及びレベル補正処理の終了の指示に用いられる。セットスイッチ１３は、補正量Ｄに基づくフェーダ操作子１６の駆動制御の実行指示に用いられる。
【００２１】
図２は、本実施の形態におけるレベル補正処理のフローチャートである。本処理は、制御部１０によって一定時間間隔で実行される。図３（ａ）は、レベル補正処理前の入力信号の波形、図３（ｂ）は、レベル補正処理後の入力信号の波形をそれぞれ示すタイムチャートである。図３（ｃ）は、１つのクリップ発生部を示す図である。
【００２２】
まず、図２において、フラグＳＥＱＦＬＧ１が０であるか否かを判別し（ステップＳ１０１）、ＳＥＱＦＬＧ１＝０でない場合はフラグＳＥＱＦＬＧ２が０であるか否かを判別し（ステップＳ１０６）、ＳＥＱＦＬＧ２＝０でない場合はセットスイッチ１３のオンイベントがあったか否かを判別し（ステップＳ１１３）、そのオンイベントがない場合はストップスイッチ１２のオンイベントがあったか否かを判別する（ステップＳ１１６）。ここで、フラグＳＥＱＦＬＧ１は、レベル信号監視が開始されたことを「１」で示し、フラグＳＥＱＦＬＧ２は、補正量Ｄの算出が完了したことを「１」で示す。
【００２３】
前記ステップＳ１０１でフラグＳＥＱＦＬＧ１＝１である場合は、スタートスイッチ１１のオンイベントがあったか否かを判別し（ステップＳ１０２）、なければ本処理を終了する一方、あったときはレベル信号２１の監視を開始する（ステップＳ１０３）。すなわち、レベル検出部１９から供給される出力信号サンプルを記憶していく。そして、表示装置１４に、レベル補正スタートを示す表示を点灯させ（ステップＳ１０４）、フラグＳＥＱＦＬＧ１を「１」に設定して（ステップＳ１０５）、本処理を終了する。
【００２４】
前記ステップＳ１０６でＳＥＱＦＬＧ２＝１である場合は、ストップスイッチ１２のオンイベントがあったか否かを判別し（ステップＳ１０７）、なければ本処理を終了する一方、あったときはレベル信号２１の監視を終了する（ステップＳ１０８）。すなわち、出力信号サンプルの記憶を終了する。次に、レベル信号２１の監視期間中、すなわち出力信号サンプルの記憶がなされた期間において、対応する入力信号のクリップ発生部を検索する（ステップＳ１０９）。
【００２５】
ここで、図３（ａ）に例示するように、乗算器１８に入力される入力信号波形ｓｇ０のうち、「ＭＡＸ」で示されるクリップレベルを超える部分がクリップされる。図３（ｃ）に示すように、出力信号サンプルは、ｓｍ１、ｓｍ２・・・ｓｍ３、ｓｍ４等で示されるように、所定間隔ＩＮＴ（例えば数ｍｓｅｃ間隔）で取得、記憶される。クリップされた部分に対応する出力信号の部分においては、出力信号サンプルの値は上記ＭＡＸ値を示す。
【００２６】
本実施の形態では、出力信号サンプルが、所定サンプル数以上連続してＭＡＸ値を示している部分を、「クリップ発生部」であると認識する。従って、レベル信号２１の監視期間中において、クリップ発生部は複数存在し得る。なお、所定サンプル数に代えて、所定時間以上連続してＭＡＸ値を示す部分をクリップ発生部と認識するようにしてもよい。
【００２７】
図２に戻り、続くステップＳ１１０では、レベル信号２１の監視期間中において認識されたクリップ発生部の中から「最大クリップ発生部」を特定すると共に、該最大クリップ発生部から補正量Ｄを算出する処理を実行する。ここで、最大クリップ発生部の特定及び補正量Ｄの算出は、次のようにしてなされる。
【００２８】
まず、図３（ｃ）に示すように、あるクリップ発生部について、クリップ開始に対応する開始サンプル点Ｐｓ０、開始サンプル点Ｐｓ０の直前のサンプル点Ｐｓ１、クリップ終了に対応する終了サンプル点Ｐｅ０、及び終了サンプル点Ｐｅ０の直後のサンプル点Ｐｅ１を求める。次に、演算により、サンプル点Ｐｓ０、Ｐｓ１を通る直線Ｌ１と、サンプル点Ｐｅ０、Ｐｅ１を通る直線Ｌ２とを求め、これら直線Ｌ１、Ｌ２の交点ＰＺを求める。交点ＰＺのレベル値は、入力信号波形ｓｇ０の対応部分における仮想ピークレベルにほぼ相当する。クリップレベル（ＭＡＸ）から交点ＰＺまでのレベル高さ（差）を算出し、これをレベル差ｄとする。
【００２９】
また、当該クリップ発生部について、クリップ時間Ｔｃを求める。クリップ時間Ｔｃは、実際には、入力信号波形ｓｇ０がクリップレベルを超えている期間である時刻Ｐｓｘから時刻Ｐｅｘまでであるが、時刻Ｐｓｘ、Ｐｅｘの把握は困難であるので、近似的に、サンプル点Ｐｓ０からサンプル点Ｐｅ１までの時間をクリップ時間Ｔｃとする。なお、サンプル点Ｐｓ１からサンプル点Ｐｅ０までの時間をクリップ時間Ｔｃとしてもよい。
【００３０】
これらレベル差ｄ、クリップ時間Ｔｃを求めることを、上記認識されたクリップ発生部のすべてについて同様に行う。そして、レベル差ｄとクリップ時間Ｔｃとの積であるＴｃ×ｄ（以下、「クリップ歪度」と称する）を全クリップ発生部について求める。一般には、レベル差ｄ、またはクリップ時間Ｔｃの値が大きいほど音質に大きな歪が生じる一方、クリップ歪度Ｔｃ×ｄは入力信号波形ｓｇ０のクリップ発生部の面積に対応するものであるから、レベル差ｄまたはクリップ時間Ｔｃの値が大きくても、クリップ歪度Ｔｃ×ｄが小さい場合は、音質の歪も小さいという傾向がある。そこで、本実施の形態では、クリップ歪度Ｔｃ×ｄが所定値以上であるクリップ発生部の中から、最も大きいレベル差ｄを有しているクリップ発生部を、上記「最大クリップ発生部」として特定する。次に、上記特定された最大クリップ発生部のレベル差ｄを、補正量Ｄとして決定し記憶する。
【００３１】
図２に戻り、続くステップＳ１１１では、上記算出、記憶した補正量Ｄを表示装置１４に表示させて、最適な補正量Ｄの値をユーザに知らせる。次に、フラグＳＥＱＦＬＧ２を「１」に設定して（ステップＳ１１２）、本処理を終了する。
【００３２】
前記ステップＳ１１３でセットスイッチ１３のオンイベントがあった場合は、上記記憶した補正量Ｄを反映させた制御信号２０をフェーダ駆動部１５に供給することで、補正量Ｄに対応する分だけフェーダ操作子１６を駆動する（ステップＳ１１４）。これにより、図３（ｂ）に示すように、同じ入力信号が乗算器１８に入力される際、その入力レベルが補正量Ｄに対応する分だけ下がる結果、入力信号波形ｓｇ１となり、クリップがほとんどあるいは全く生じなくなる。そして、補正量Ｄに対応したフェーダ操作子１６の駆動が完了したら（ステップＳ１１５）、表示装置１４に点灯されていた、レベル補正スタートを示す表示を消灯させて（ステップＳ１１７）、フラグＳＥＱＦＬＧ１、ＳＥＱＦＬＧ２を共に「０」に設定して（ステップＳ１１８）、本処理を終了する。
【００３３】
前記ステップＳ１１６でストップスイッチ１２のオンイベントがあった場合は、前記ステップＳ１１７以降を実行する。この場合は、補正量Ｄを算出、表示したが、これをフェーダ操作子１６の駆動に反映させることなく本レベル補正処理を終了することになる。
【００３４】
本実施の形態によれば、最大クリップ発生部から求めた補正量Ｄに対応する分だけ入力信号の入力レベルが下がるようにフェーダ操作子１６によるレベル調節量を補正制御するので、クリップの発生が抑えられる。一方、入力レベルを必要以上に下げることがないので、Ｓ／Ｎ比を著しく低下させることもない。よって、高Ｓ／Ｎ比を維持しつつ入力信号のクリップを抑制することができる。
【００３５】
なお、本実施の形態では、補正量Ｄを算出する上で、サンプル点Ｐｓ０、Ｐｓ１、及びサンプル点Ｐｅ０、Ｐｅ１を求めてから、仮想ピークレベルを推定する手法を採用したが、入力信号波形ｓｇ０の立ち上がり、立ち下がりの方向（乃至傾き）を予測する等によって入力信号波形ｓｇ０のピークを推定することができればよく、上記各サンプル点を用いることに限定されない。あるいは、仮想ピークレベルの推定に、直線補間、ｎ次多項式補間等の各種補間法を適宜採用してもよい。
【００３６】
なお、本実施の形態では、音質の歪への影響の大きさを考慮して、クリップ歪度Ｔｃ×ｄが所定値以上であるクリップ発生部の中から最大クリップ発生部を特定するようにしたが、構成を簡単にする観点からは、例えば、全クリップ発生部のうちクリップ歪度Ｔｃ×ｄが最大のもの、クリップ時間Ｔｃが最大のもの、またはレベル差ｄが最大のものを、最大クリップ発生部として特定するようにしてもよい。
【００３７】
なお、本実施の形態では、補正量Ｄのフェーダ操作子１６の駆動への反映は、ユーザによるセットスイッチ１３の操作に起因して自動でなされるようにしたが、これに限るものでなく、ユーザが、表示装置１４に表示された補正量Ｄを見て、これに基づき手動でフェーダ操作子１６を駆動するようにしてもよい。その場合、補正量Ｄはあくまで推奨値として用いることもでき、熟練したユーザは、補正量Ｄからさらに適宜修正した値を操作量とすることができる。
【００３８】
なお、これとは逆に、操作の煩雑さを回避するべく、補正量Ｄが算出されたら、ユーザの操作によらずに、補正量Ｄに基づきフェーダ操作子１６を自動的に駆動するようにしてもよい。そのようにするには、例えば、図２のフローチャートから前記ステップＳ１１３、Ｓ１１６を削除し、前記ステップＳ１０６で「ＮＯ」の場合、直ちに前記ステップＳ１１４に進むようにすればよい。
【００３９】
なお、信号の入力開始（演奏開始）から終了（演奏終了）までの期間を認識できるようにして、その間で最も大きな仮想ピークレベルから補正量Ｄを算出するようにしてもよい。
【００４０】
なお、入力信号としてデジタル音響信号を例示したが、本発明はアナログ信号にも適用可能である。さらに、本発明の適用される装置は、クリップが生じ得て、音量調節が可能な装置であればよく、また、複数チャンネルの信号を処理する装置に限定されることもない。従って、音源装置、マイクアンプ等、ミキサ装置以外の装置にも本発明を適用可能である。また、レベル調節器としては、乗算器１８等の信号入出力部に入力される信号の入力レベルを調節する機能を有する要素であれば、フェーダ操作子１６以外の要素であってもよい。
【００４１】
なお、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００４２】
この場合、記憶媒体から読み出されたプログラムコード自体が前述した実施の形態の機能を実現することになり、そのプログラムコードを記憶した記憶媒体は本発明を構成することになる。また、プログラムコードが伝送媒体等を介して供給される場合も、プログラムコード自体が本発明を構成することになる。なお、これらの場合の記憶媒体としては、ＲＯＭのほか、フロッピー（登録商標）ディスク、ハードディスク、光ディスク、光磁気ディスク、ＣＤ−ＲＯＭ、ＣＤ−Ｒ／ＲＷ、ＤＶＤ−ＲＯＭ、ＤＶＤ−ＲＡＭ、ＤＶＤ−Ｒ／ＲＷ、ＤＶＤ＋ＲＷ、ＮＶ−ＲＡＭ、磁気テープ、不揮発性のメモリカード、或いはネットワークを介したダウンロード等を用いることができる。
【００４３】
また、コンピュータが読み出したプログラムコードを実行することにより、上述した実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も本発明に含まれることは言うまでもない。さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって上述した実施の形態の機能が実現される場合も本発明に含まれることは言うまでもない。
【図面の簡単な説明】
【００４４】
【図１】本発明の一実施の形態に係る信号処理装置の構成を示すブロック図である。
【図２】本実施の形態におけるレベル補正処理のフローチャートである。
【図３】レベル補正処理前の入力信号の波形を示すタイムチャート（図（ａ））、レベル補正処理後の入力信号の波形を示すタイムチャート（図（ｂ））、及び１つのクリップ発生部を示す図（図（ｃ））である。
【符号の説明】
【００４５】
１０  制御部（クリップ検出手段、仮想ピークレベル推定手段、補正量算出手段）、  １５  フェーダ駆動部、  １６  フェーダ操作子（レベル調節器）、  １８  乗算器（信号入出力部）、  １９  レベル検出部、  Ｄ  補正量（レベル補正量）
【図１】
2005277560.tif 000003
【図２】
2005277560.tif 000004
【図３】
2005277560.tif 000005